(57)【特許請求の範囲】
【請求項１】
機器本体の外底面に溶接により直接に固着されたナットと、前記外底面の下側に配される脚体と、この脚体と一体的に設けられて前記ナットに螺合可能なボルトとが具備され、前記脚体の上面には前記ナットの回りを覆って収納可能な収納凹部が形成されるとともに、前記ボルトの上端が前記収納凹部内におけるこの収納凹部の上面よりも引っ込んだ位置に留まって設けられていることを特徴とする機器の脚構造。
【請求項２】
前記脚体の外周面が凹凸を有する面に形成されていることを特徴とする請求項１記載の機器の脚構造。
【請求項３】
前記ボルトの下端が前記脚体の下面側に延出して設けられ、このボルトの延出端に螺合可能なアジャスト脚が備えられていることを特徴とする請求項１または請求項２記載の機器の脚構造。
【請求項４】
前記アジャスト脚の外周面が凹凸を有する面に形成されていることを特徴とする請求項３記載の機器の脚構造。
【請求項５】
前記アジャスト脚の下面に滑り止め板が貼付されていることを特徴とする請求項３または請求項４記載の機器の脚構造。
【発明の詳細な説明】
【０００１】
【発明の属する技術分野】
本発明は、給茶機等の機器の底部に備えられる脚の構造に関する。
【０００２】
【従来の技術】
従来、例えば給茶機の脚の部分は、図４に示すような構造が採用されていた。これは給茶機本体の底板ａの四隅に挿通孔ｂが開口されて、その上面にナットｃが溶接等で固着され、脚体ｄがその上面に突設されたボルトｅをナットｃにねじ込むことで取り付けられている。すなわち従来のものは、ナットｃやボルトｅの上端が底板ａの上面から突き出た状態となっている。
一方、給茶機本体内の底部側には、給水カセットや茶殻の回収容器等が設置されるようになっていて、上記のように底板ａの上面に突出物があると設置場所が制限され、また底板ａの上を掃除する場合には突出物が邪魔になって掃除し難いという不具合があった。
【０００３】
【発明が解決しようとする課題】
そこで上記の不具合を回避するために、図５に示すように、底板ａの下面にナットｃを固着したブラケットｆを取り付け、このナットｃに対して脚体ｄのボルトｅをねじ込んで取り付けるものが考えられた。しかしながらこのものは、部品点数、作業工数ともに多くなってコストが掛かり、また見栄えも良くないという問題があり、さらなる改良が切望されていた。
本発明は上記のような事情に基づいて完成されたものであって、その目的は、機器本体の底板の上面に突出物を出さずかつ見栄えも良い脚構造を提供するところにある。
【０００４】
【課題を解決するための手段】
上記の目的を達成するための手段として、請求項１の発明は、機器本体の外底面に溶接により直接に固着されたナットと、前記外底面の下側に配される脚体と、この脚体と一体的に設けられて前記ナットに螺合可能なボルトとが具備され、前記脚体の上面には前記ナットの回りを覆って収納可能な収納凹部が形成されるとともに、前記ボルトの上端が前記収納凹部内におけるこの収納凹部の上面よりも引っ込んだ位置に留まって設けられている構成としたところに特徴を有する。
請求項２の発明は、請求項１の発明において、前記脚体の外周面が凹凸を有する面に形成されているところに特徴を有する。
【０００５】
請求項３の発明は、請求項１または請求項２の発明において、前記ボルトの下端が前記脚体の下面側に延出して設けられ、このボルトの延出端に螺合可能なアジャスト脚が備えられているところに特徴を有する。
請求項４の発明は、請求項３の発明において、前記アジャスト脚の外周面が凹凸を有する面に形成されているところに特徴を有する。
請求項５の発明は、請求項３または請求項４の発明において、前記アジャスト脚の下面に滑り止め板が貼付されているところに特徴を有する。
【０００６】
【発明の作用及び効果】
＜請求項１の発明＞
脚体はボルトをナットに螺合してねじ込むことによって機器本体の外底面の下側に取り付けられる。機器本体の内底面に突出物が出っ張ることなく脚体が取り付けられることで、機器本体内の掃除等がしやすくなり、またナットが脚体で隠されるから外観もすっきりとまとまる。
＜請求項２の発明＞
脚体の外周面に凹凸が形成されて引っ掛かりとなることで、脚体のねじ込み作業がしやすくなる。
【０００７】
＜請求項３の発明＞
アジャスト脚をボルトの延出端に沿って螺進させることにより、脚の高さ調節を行うことができる。
＜請求項４の発明＞
アジャスト脚の外周面に凹凸が形成されて引っ掛かりとなることで、アジャスト脚の螺進作業、すなわち高さ調節の作業がしやすくなる。
＜請求項５の発明＞
脚の滑り止めがなされて機器本体を安定して設置することができる。
【０００８】
【発明の実施の形態】
以下、本発明を給茶機に適用した一実施形態を図１ないし図３に基づいて説明する。
図１において、符号１は給茶機の本体であって、前面開放の箱形に形成されており、この前面の開口部には扉２が揺動開閉可能に装着されている。本体１内には、図示はしないが、貯湯タンク、茶葉供給装置、茶漉し器等からなる給茶機構が収納され、本体１の底板７（図２）上には、給水カセットや茶殻の回収容器等が設置されている。扉２の前面には、注出スイッチ等を装備した操作パネル３が設けられているとともに、その下方には、容器受け部４が凹み形成されている。そして、容器受け部４にコップを入れて注出スイッチを操作すると、容器受け部４の天井面に設けられた注出口５からお茶や白湯等がコップ内に注出されるようになっている。
【０００９】
上記した本体１の底面の四隅には脚１０が設けられており、続いてその構造を説明する。図２に示すように、本体１の底板７の下面側には、ナット１１が溶接によって固定されている。一方、上記のナット１１に螺合されるボルト１２を一体的に設けた脚体１７が備えられている。詳細には、ボルト１２は植込みボルトのように、頭部を備えず全長にわたって雄ネジが切られており、その上端寄りの位置には六角形の鍔１３が形成されている。脚体１７は、このボルト１２をインサートとしたインサート成形によって形成されている。
【００１０】
脚体１７は円柱状に形成され、その上面の中心には、上記したナット１１を収納可能な収納凹部１８が形成されている。また収納凹部１８の下方には、壁部２０を挟んで下面に開口した嵌合孔１９が形成されている。ボルト１２は、脚体１７の中心線上において、鍔１３が壁部２０に埋め込まれた状態で、抜け止めかつ回り止めがなされて一体化されている。ボルト１２の上端は収納凹部１８の上面よりも少し引っ込んでおり、逆にボルト１２の下端は嵌合孔１９の下面よりも少し突出している。また、脚体１７の外周面には、周方向に凹凸の繰り返されたセレーション２１が形成されている（図３参照）。
【００１１】
脚体１７の下端には、アジャスト脚２３が取り付けられるようになっている。このアジャスト脚２３は、脚体１７の嵌合孔１９に嵌合可能な縮径部２４の下端側に、拡径部２５の形成された段付き状に形成されている。縮径部２４の上面の中心には、ボルト１２の下雄ネジ部１５に螺合可能なネジ孔２６が切られている。拡径部２５の外周面には、周方向に凹凸の繰り返されたセレーション２７が形成されている（図３参照）とともに、底面には、滑り止めシール２８が貼付されている。
【００１２】
本実施形態は上記のような構造であって、続いてその組み付けの手順について説明する。
まず、脚体１７に一体的に設けられたボルト１２の上雄ネジ部１４をナット１１に螺合し、脚体１７の外周面を持って回転させつつ上雄ネジ部１４をねじ込む。脚体１７の外周面にセレーション２１が切られていることにより、脚体１７の回転操作はスムーズに行われる。脚体１７の上端が底板７の下面に当たったところでねじ込みが停止され、脚体１７の取り付けが完了する。このとき、図３に示すように、ナット１１は脚体１７の収納凹部１８内に収まって隠される。
【００１３】
続いて、アジャスト脚２３のネジ孔２６をボルト１２の下雄ネジ部１５に螺合し、拡径部２５の外周面を持ってアジャスト脚２３を回転させることで、縮径部２４を脚体１７の嵌合孔１９内に嵌合させつつ螺進させる。拡径部２５の外周面にセレーション２７が切られていることで、アジャスト脚２３の回転操作はスムーズに行われる。これにより図３に示すように組み付けが完了し、これが底板７の四隅において行われる。
【００１４】
このように脚１０の設けられた本体１が設置面上に設置される。このとき、設置面が平滑さを欠いている等でガタ付きがあれば、アジャスト脚２３をねじ込む方向若しくは緩める方向に螺進させて、脚１０の高さ調節を行えばよい。また、本体１全体の高さ調節を行うこともできる。また、設置面が金属板のように滑りやすいところであったとしても、アジャスト脚２３の下面には滑り止めシール２８が貼付されているから、安定して設置される。
【００１５】
このように本実施形態によれば、以下のような数々の利点を得ることができる。まず脚体１７を取り付けるに当たって底板７の上面に突出物がなくなったから、底板７の上を全面にわたって設置スペースとして有効利用することができる。また底板７の上面を掃除する場合にも、邪魔をするものがないことで掃除がしやすく、ゴミが溜まるようなこともなくなる。
【００１６】
脚体１７の取付けに用いるナット１１は脚体１７自身によってすっぽりと隠されるので、見栄えがよい。また脚体１７の外周面にセレーション２１を形成したことで、脚体１７のねじ込み作業をスムーズに行うことができる。また、ナット１１が底板７の下面に固定され、脚体１７のボルト１２が底板７を貫通しない構造であるから、底板７に挿通孔を開けることが不要で、その分工数の低減を図ることができる。
【００１７】
さらに、脚体１７の下端側にアジャスト脚２３を設けたから、設置現場等において脚１０の高さ調節を行うことにより、本体１全体の高さ調節を行ったり、ガタ付きなく設置することができる。アジャスト脚２３の拡径部２５の外周面にセレーション２７を切ったことにより、アジャスト脚２３の回転操作、すなわち高さ調節の作業がスムーズに行える。また、アジャスト脚２３の下面に滑り止めシール２８が貼られているから、置き台の上に載せる場合等、滑りやすい金属板の上にも安定して設置することができる。
【００１８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）脚体やアジャスト脚の外周面に設ける引っ掛かり用の凹凸は、ローレット目であってもよい。
（２）脚体には必ずしもアジャスト脚を設ける必要はなく、そのようなものも本発明に含まれる。その場合は、ボルトの下雄ネジ部や嵌合孔は除去できる。
（３）本発明は上記実施形態に例示した給茶機に限らず、他の機器の脚構造全般に広く適用することができる。
【図面の簡単な説明】
【図１】本発明の一実施形態に係る給茶機の外観斜視図
【図２】脚の組み付け前の状態の分解断面図
【図３】その組み付け完了後の一部切欠正面図
【図４】従来例に係る脚構造の断面図
【図５】他の従来例の脚構造の断面図
【符号の説明】
１…給茶機本体  ７…底板  １０…脚  １１…ナット  １２…ボルト  １４…上雄ネジ部  １５…下雄ネジ部  １７…脚体  １８…収納凹部  １９…嵌合孔  ２１…セレーション  ２３…アジャスト脚  ２６…ネジ孔  ２７…セレーション
２８…滑り止めシール
【図１】
0003558326.tif 000002
【図２】
0003558326.tif 000003
【図３】
0003558326.tif 000004
【図４】
0003558326.tif 000005
【図５】
0003558326.tif 000006